(57)【要約】【課題】物体を狭持装置上に置くだけで、２つの狭持板が物に向かって寄ってき、物体を狭持する狭持装置を提供する。【解決手段】ベース、作動構造及び２つの狭持板を含む。作動構造はベース内に収納され、同一軸心に沿って設けられるギヤ及びカムを有する。２つの狭持板はそれぞれ延長アームを有し、２つの延長アームはギヤの相対応する両側に噛み合わせられる。カムが係止部材の係止を受ける時、２つの狭持板は開かれた状態を示し、カムが係止部材から外れた後、カムはギヤを連動して回転させ、２つの延長アームが直線移動するよう牽引し、２つの狭持板を開かれた状態から狭持状態へと移動させる。【選択図】図３
2013168116.tif 000002
【特許請求の範囲】
【請求項１】
収納空間を有するベースと、
前記収納空間に設けられる作動構造と、
複数の歯がある延長アームをそれぞれ有し、且つ、前記２つの延長アームはそれぞれ前記これらの歯によって前記ギヤの相対する両側に噛み合わせられ、前記ギヤの回転により移動させられる２つの狭持板と、
前記収納空間に設けられ、第２ピボット、第１端部及び第２端部からなる係止部材とを具備し、
前記作動構造はさらに
第１ピボットと、
前記第１ピボット上に設けられるギヤと、
前記第１ピボット上に設けられ、制限部材を有し、前記ギヤを連動して回転させるためのカム及び弾性装置組み立てを含み、
前記ギヤ及び前記カムは前記第１ピボットによって、前記ベース上にピボットされ、前記弾性装置組み立ては前記カムと当接し、
また、前記係止部材は前記第２ピボットによって前記ベース上にピボットされると共に、前記係止部材は前記第１端部によって前記制限部材に係止され、前記係止部材の第２端部が押力を受ける時、前記第１端部は前記制限部材から外れ、前記弾性装置組み立てが前記カムを押すようにさせ、前記カムが前記ギヤを連動して回転させるようにさせ、これにより、前記ギヤは回転し、前記２つの延長アームが相反する方向に沿って移動するよう牽引し、前記２つの狭持板は開いている状態から狭持状態へと移動することを特徴とする、狭持装置。
【請求項２】
前記押力を受け取るため用いられる押し部材をさらに含み、前記押し部材は前記ベースの孔部に穿設され、前記係止部材の前記第２端部に当接することを特徴とする、請求項１に記載の狭持装置。
【請求項３】
前記弾性装置組み立ては第１弾性部材及びフレームから構成され、前記第１弾性部材は前記ベース及び前記フレームにそれぞれ固定される両端を有することを特徴とする、請求項２に記載の狭持装置。
【請求項４】
前記弾性装置組み立てはさらに第２弾性部材を含み、
前記第１弾性部材及び前記第２弾性部材は前記フレームの２つの側面にそれぞれ設けら、前記第１弾性部材は圧縮スプリングであり、前記第２弾性部材は伸長スプリングであり、前記２つの弾性部材はそれぞれ前記フレームの両側面に接続され、前記係止部材の前記第１端部が前記制限部材に係止する時、前記伸長スプリング及び前記圧縮スプリングはそれぞれ弾性位置エネルギーを貯蔵し、前記２つの狭持板を開いている状態にさせ、前記係止部材が前記制限部材から外れる時、前記伸長スプリング及び圧縮スプリングはそれぞれ前記弾性位置エネルギーを解放し、前記弾性装置組み立てが前記カムと当接し、第１方向に沿って回転するようにさせ、前記ギヤは前記２つの延長アームを連動して移動させ、狭持状態にさせることを特徴とする、請求項３に記載の狭持装置。
【請求項５】
前記フレームは前記カムの一側面と当接するローラーを有し、前記弾性装置組み立てが前記カムを押し動かす時、前記ローラーは前記カムの前記側面に沿ってロールすることを特徴とする、請求項３に記載の狭持装置。
【請求項６】
前記作動構造はさらに前記カムに接続されるロングアームを含むことを特徴とする、請求項１に記載の狭持装置。
【請求項７】
さらに位置戻し棒を含み、前記位置戻し棒の一部は前記収納空間に収納され、前記ロングアームに接続されることを特徴とする、請求項６に記載の狭持装置。
【請求項８】
前記ロングアームの一端には折り曲げ部が形成され、前記位置戻し棒には溝部があり、前記ロングアームの前記一端を収納させるために用いられることを特徴とする、請求項７に記載の狭持装置。
【請求項９】
前記ベースはさらに軸方向に沿って移動する前記位置戻し棒を制限させるために用いられる複数の突起部材を含み、前記位置戻し棒が押力を受けて前記軸方向に移動する時、前記位置戻し棒は前記ロングアームを押し動かし、前記カムが前記第１方向と相反する第２方向に沿って回転するようにさせ、前記係止部材が新たに前記制限部材と係止するようにさせると共に、前記２つの狭持板が前記開いた状態に戻るようにさせることを特徴とする、請求項８に記載の狭持装置。
【発明の詳細な説明】
【技術分野】
【０００１】
本発明は、狭持装置に関し、より詳しくは、物体を受け取った後、自動で物体を狭持する狭持装置に関する。
【背景技術】
【０００２】
科学の日進月歩により、電子装置の機能はより多様化しており、かつ、生活の各種状況において、皆電子装置を操作する可能性があり、ゆえに、電子装置は次第に人間にとってなくてはならないツールの一つとなっている。しかしながら、ユーザーが両手で電子装置を持つことや操作することができない状況下（例えば、車の運転時）で、同時に最新のデータを知りたい場合、現在よくみられる方法は通常は狭持ベースの助けにより、電子装置の固定を助けることである。これにより、電子装置が立っているように維持し、ユーザーが両手で運転することを助け、必要時には片手で電子装置中の最新データを操作、チェックすることができる。
【０００３】
一般的に言えば、現在市場で見られる周知の狭持ベースの操作方法において、狭持ベースは２つの狭持板を有し、２つの狭持板は開かれた状態である。ユーザーは狭持するものを周知の狭持ベース上に置いた後、ユーザーはさらに片手、或いは、両手で抑えて２つの狭持板が真ん中に近づくようにさせ、２つの狭持板が狭持するものをしっかりと狭持させた後、狭持の動作が完成する。
【先行技術文献】
【特許文献】
【０００４】
【特許文献１】台湾特許公報ＴＷ４２８８６１号公報
【発明の概要】
【発明が解決しようとする課題】
【０００５】
しかしながら、前述した従来の技術では、その欠点はユーザーが片手だけを利用し、従来の狭持ベースの狭持動作を完成させようとするとき、狭持動作を完成させるには、ユーザーの手の指の力は十分に強く、手の長さは十分に長い必要があるが、もし手が比較的小さく、指の力が弱いユーザーの場合、使用する上で確かにとても大きな困難が形成されることになる。一方、両手を使用して狭持動作をしたい場合、ユーザーは両手を使う必要があり、両手でそれぞれ２つの狭持板を抑えて、外から内に力を加えて挟む方法を取ることによってはじめて狭持動作を完成させることができ、ユーザーが運転やその他の状況下にある場合、使用上の不便がある以外に、生命の安全に対する脅威となりえる。
【０００６】
現在別の周知の狭持ベースは図１に示す台湾特許公報ＴＷ４２８８６１号のようであり、これは連動装置８及び２つの固定板９を有する周知の狭持ベース７を開示している。この周知の狭持ベース７の長所はユーザーは両手を使用して２つの固定板９を押さえる必要なしに狭持を完成できることであり、その操作方法は特定型番の携帯電話（図示せず）を連動装置８上に置くだけで、周知の狭持ベース７は２つの固定板９によって自動でこの特定型番の携帯電話を狭持する。詳細に言えば、特定外観の携帯電話を連動装置８上に置く時、特定外観の携帯電話の重さにより連動装置９が下向きに移動するよう牽引させ、これにより周知の狭持ベース７上の２つの固定板９は回転し、これにより、２つの固定板９は特定外観がある携帯電話上の凹部上に固定される。しかしながら、上述の通り、この狭持ベース７は特定外観の携帯電話を搭載させる必要があり、２つの固定板９を特定の溝部に固定させるために用いられるため、その他外観の携帯電話に関しては、幅が周知の狭持ベース７の幅に合わないため、溝部設計の位置も同じではなく、この種の周知の狭持ベース７上に応用させることができない。
【０００７】
これを鑑み、各種外観形状の物体を狭持でき、ユーザーが物体を狭持ベース上に置くだけで、物体がしっかりと狭持ベース上に狭持される狭持装置を提供し、これは業界が至急解決すべき問題である。
【０００８】
本発明は、このような従来の問題に鑑みてなされたものである。上記課題解決のため、本発明は、物体を狭持装置上に置くだけで、２つの狭持板が物に向かって近づくことが作動し、物体を狭持する狭持装置を提供することを主目的とする。
【課題を解決するための手段】
【０００９】
上述した課題を解決し、目的を達成するために、本発明の好ましい実施例では
収納空間を有するベースと、
前記収納空間に設けられる作動構造と、
複数の歯がある延長アームをそれぞれ有し、且つ、前記２つの延長アームはそれぞれ前記これらの歯によって前記ギヤの相対する両側に噛み合わせられ、前記ギヤの回転により移動させられる２つの狭持板と、
前記収納空間に設けられ、第２ピボット、第１端部及び第２端部からなる係止部材とを具備し、
前記作動構造はさらに
第１ピボットと、
前記第１ピボット上に設けられるギヤと、
前記第１ピボット上に設けられ、制限部材を有し、前記ギヤを連動して回転させるためのカム及び弾性装置組み立てを含み、
前記ギヤ及び前記カムは前記第１ピボットによって、前記ベース上にピボットされ、前記弾性装置組み立ては前記カムと当接し、
また、前記係止部材は前記第２ピボットによって前記ベース上にピボットされると共に、前記係止部材は前記第１端部によって前記制限部材に係止され、前記係止部材の第２端部が押力を受ける時、前記第１端部は前記制限部材から外れ、前記弾性装置組み立てが前記カムを押すようにさせ、前記カムが前記ギヤを連動して回転させるようにさせ、これにより、前記ギヤは回転し、前記２つの延長アームが相反する方向に沿って移動するよう牽引し、前記２つの狭持板は開いている状態から狭持状態へと移動することを特徴とする狭持装置。
【００１０】
好ましい実施例では、前記押力を受け取るため用いられる押し部材をさらに含み、前記押し部材は前記ベースの孔部に穿設され、前記係止部材の前記第２端部に当接することを特徴とする狭持装置。
【００１１】
好ましい実施例では、前記弾性装置組み立ては第１弾性部材及びフレームから構成され、前記第１弾性部材は前記ベース及び前記フレームにそれぞれ固定される両端を有することを特徴とする狭持装置。
【００１２】
好ましい実施例では、前記弾性装置組み立てはさらに前記フレームの２つの側面にそれぞれ設けられる第２弾性部材を含み、前記第１弾性部材は圧縮スプリング及び伸長スプリングであり、前記２つの弾性部材はそれぞれ前記フレームの両側面に接続され、前記係止部材の前記第１端部が前記制限部材に係止する時、前記伸長スプリング及び前記圧縮スプリングはそれぞれ弾性位置エネルギーを貯蔵し、前記２つの狭持板を開いている状態にさせ、前記係止部材が前記制限部材から外れる時、前記伸長スプリング及び圧縮スプリングはそれぞれ前記弾性位置エネルギーを解放し、前記弾性装置組み立てが前記カムと当接し、第１方向に沿って回転するようにさせ、前記ギヤは前記２つの延長アームを連動して移動させ、狭持状態にさせることを特徴とする狭持装置。
【００１３】
好ましい実施例では、前記フレームは前記カムの一側面と当接するローラーを有し、前記弾性装置組み立てが前記カムを押し動かす時、前記ローラーは前記カムの前記側面に沿ってロールすることを特徴とする狭持装置。
【００１４】
好ましい実施例では、前記作動構造はさらに前記カムに接続されるロングアームを含むことを特徴とする狭持装置。
【００１５】
好ましい実施例では、さらに位置戻し棒を含み、前記位置戻し棒の一部は前記収納空間に収納され、前記ロングアームに接続されることを特徴とする狭持装置。
【００１６】
好ましい実施例では、前記ロングアームの一端には折り曲げ部が形成され、前記位置戻し棒には溝部があり、前記ロングアームの前記一端を収納させるために用いられることを特徴とする狭持装置。
【００１７】
好ましい実施例では、前記ベースはさらに軸方向に沿って移動する前記位置戻し棒を制限させるために用いられる複数の突起部材を含み、前記位置戻し棒が押力を受けて前記軸方向に移動する時、前記位置戻し棒は前記ロングアームを押し動かし、前記カムが前記第１方向と相反する第２方向に沿って回転するようにさせ、前記係止部材が新たに前記制限部材と係止するようにさせると共に、前記２つの狭持板が前記開いた状態に戻るようにさせることを特徴とする狭持装置。
【発明の効果】
【００１８】
本発明の狭持装置によれば、ユーザーは物体を押し部材に抑えつけるようにベース上に置くだけで、カムとギヤの巧妙な配置によって、２つの狭持板を狭持位置へと導き、物体を狭持する。さらに言えば、ユーザーが物体を狭持しようとする時、狭持装置に触れることや狭持装置に力を加えることなく、狭持の動作を完成させることができ、ユーザーが運転時に狭持物体を操作したい状況下で、大幅に安全性を高める。これ以外に、本発明の狭持装置はユーザーの手が十分に大きくない、或いは、力が不足しているため、狭持装置を操作できないという状況が発生することを避けることができる。このように、操作の利便性を高める以外に、さらにユーザー群を拡大させることができる。
【図面の簡単な説明】
【００１９】
【図１】周知の狭持装置の立体概略図である。
【図２】本発明に係る狭持装置を示す立体概略図である。
【図３】本発明に係る狭持装置を示す立体分解図である。
【図４】本発明に係る狭持装置のギヤと２つの狭持板を示す正面図である。
【図５】本発明に係る狭持装置の前半ケース体部分の図示を省略した正面概略図である。
【発明を実施するための形態】
【００２０】
以下に図面を参照して本発明を実施するための形態について、詳細に説明する。なお、本発明は、以下に説明する実施形態に限定されるものではない。
【００２１】
［第１実施形態］
まず、本発明の狭持装置の第１実施形態について説明する。
本発明の第１実施形態の構成を図２から図５に示す。図２は本発明に係る狭持装置を示す立体概略図であり、図３は本発明に係る狭持装置を示す立体分解図である。ここでは、本発明に係る狭持装置１はベース１２、作動構造１４、２つの狭持板１６、係止部材１８及び位置戻し棒１７を含む。ここでは、組み立て上の考慮から、ベース１２は前半ケース体１２０及び後半ケース体１２１を組み合わせることにより形成される。これにより、ベース１２内には収容空間１３０を備え、作動構造１４、狭持板１６の一部、係止部材１８及び位置戻し棒１７などを収納し、ベース１２内で作動させる。
【００２２】
詳細に言えば、作動構造１４は第１ピボット１４１、カム１４３、ギヤ１４２及び弾性装置組み立て１４４から構成され、カム１４３とギヤ１４２は第１ピボット１４１によってベース１２上にピボットされ、これにより、カム１４３とギヤ１４２はベース１２に相対して回転する。さらに言えば、カム１４３はギヤ１４２と連動し、より好ましくは互いに相互接続され、カム１４３を回転させることで連動してギヤ１４２は回転し、或いは、ギヤ１４２を回転させることで連動してカム１４３は回転する。これ以外に、カム１４３上には制限部材１４３ａがあり、より好ましくは、制限部材１４３ａはカム１４３上から突起して形成され、係止部材１８からの当接を受ける（図５参照）。
【００２３】
図２及び図３によると、係止部材１８は第２ピボット１８１、相対する第１端部１８ａ及び第２端部１８ｂを含む。ここでは、係止部材１８は第２ピボット１８１によってベース１２上にピボットされ、第二ピボット１８１は第１端部１８ａ及び第２端部１８ｂの間に設けられ、てこの支点となる。さらに、係止部材１８は第１端部１８ａによって制限部材１４３ａに係止され、第２端部１８ｂは自由端であり、第２端部１８ｂはより好ましくは板状であり、外力圧力を受け取る。このような設置により、第２端部１８ｂが押される時、第１端部１８ａは跳ね上がり、制限部材１４３ａの係止から外れ、カム１４３が係止から外れた状態を示すようにさせる。好ましい実施例では、狭持装置１はさらに押し部材１９を含み、押し部材１９はベースの孔部１２２を貫通し、一部はベース１２外に露呈し、押し部材１９は収納空間１３０中に設けられる係止部材１８の第２端部１８ｂと当接する。このような設置により、ユーザーは押し部材１９を下に押すことによって、係止部材１８を作動させ、第１端部１８ａを跳ね上がらせ、制限部材から外し、つまり、本実施例では、ユーザーは直接２つの狭持板１６に力を加える必要がなく、押し部材１９によって狭持装置１が物体を挟む動作を作動させる。もちろん、押し部材１９及び係止部材１８はそれぞれ弾性体１９０、１８０を搭載させることができ、外力が取り除かれた後、位置戻し動作を助ける。しかし、上述の設置は本願の狭持装置１の好ましい例に列挙されているだけであり、本技術領域に熟知したものは、容易に係止部材１８の構造を変化させ、例えば、係止部材１８の第２端部１８に孔部１２２を貫通させることにより、直接ユーザーの接触を受け取るといった、この類の設置は、ここでの制限とならない。
【００２４】
さらに、本願の狭持装置１の作動時の状況に対して、詳細に説明する。図４は本願の狭持装置１の２つの狭持板１６とギヤ１４２の正面図であり、図２から図４を合わせて参照されたい。ここでは、各狭持板１６は延長アーム１６０及び狭持ブロック１６１を有し、それぞれの延長アーム１６０上にはそれぞれ複数のギヤ１６０ａがある。ここでは、２つの延長アーム１６０はそれぞれ歯１６０ａによってギヤ１４２の相対する両側に噛み合わせられ、例を挙げて言えば、２つの延長アーム１６０はそれぞれギヤ１４２の上下両側に噛み合わせられ、２つの狭持ブロック１６１はギヤ１４２の左右両側方向に相対して設けられ、これにより該物体を狭持する。これ以外に、２つの狭持ブロック１６１の間にはそれぞれクッション１６２が設けられ、該物体をしっかり挟むことを助ける。本実施例では、ギヤ１４２はより好ましくは、ダンパーギヤであり、狭持装置１が狭持及び解放過程中の進行速度を緩めるために用いられ、同時に、別の市販品では、歯止めを利用して狭持の動作を行うが、これは人を悩ます騒音を発生させるため、本実施例ではダンパーギヤによって、静かに作動するようにさせ、ユーザーに心地よい使用環境を提供する。
【００２５】
図５は本願の狭持装置１の正面概略図であり、説明をしやすくさせるため、前半ケース体１２０の一部を省略し未表示としている。図３から図５を参照すると、弾性装置組み立て１４４は第１弾性部材１４４ａ、第２弾性部材１４４ｂ及びフレーム１４４ｃを含み、第１弾性部材ａ及び第２弾性部材１４４ｂの両端はそれぞれベース１２及びフレーム１４４ｃに当接し（本実施例では前半ケース体１２０に当接）、フレーム１４４ｃはカム１４３と当接する。ここで説明すべきは、本実施例ではフレーム１４４ｃとカム１４３の連動をさらに精確かつ円滑にさせるため、フレーム１４４ｃはローラー１４４ｄを有し、カム１４３の側面と当接し、弾性装置組み立て１４４がカム１４３を押し動かすとき、ローラー１４４ｄはカム１４３の側面に沿ってロールし、ローラー１４４ｄの設置により、弾性装置組み立て１４４とカム１４３の間で発生する摩擦力が大幅に減少され、狭持装置１が狭持と解放の過程で、エネルギーの消耗を減少させ、動作をより円滑にさせる。さらに言えば、第１弾性部材１４４ａはより好ましくは、圧縮スプリングであり、第２弾性部材１４４ｂはより好ましくは伸長スプリングであり、第一弾性部材１４４ａ及び第２弾性部材１４４ｂはそれぞれフレーム１４４ｃの相対する両側に接続され、ここでは、係止部材１８の第１端部１８ａがカム１４３の制限部材１４３ａに係止する時、カム１４３とギヤ１４２は初めの位置に位置決めされ、これと同時に、第１弾性部材１４４ａ及び第２弾性部材１４４ｂはあらかじめセットされた圧力を受け、これをそれぞれ弾性位置エネルギーとして貯蔵する。係止部材１８の第１端部１８ａが制限部材１４３ａの阻止から外れる時、第１弾性部材１４４ａ及び第２弾性部材１４４ｂはそれぞれあらかじめ貯蔵された弾性位置エネルギーを解放し、弾性装置組み立て１４４が横に移動し、カムが第１方向Ｒ１に沿って回転するように押し、カム１４３と連動するギヤ１４２も第１方向Ｒ１に沿って回転し、連動してギヤ１４２とかみ合わせられる２つの延長アーム１６０は徐々に内側に向かって近づき、２つの狭持板１６は開いている状態から狭持状態へと移動し、該物体の狭持がなされる。
【００２６】
さらに言えば、狭持装置１はさらに位置戻し棒１７を含み、位置戻し棒１７は少なくとも一部を収納空間１３０に収納させ、作動構造１４はさらにカム１４３から伸びるロングアーム１４５を含み、位置戻し棒１７とロングアーム１４５は接続される。位置戻し棒１７とロングアームの好ましい接続方法については、ロングアーム１４５の一端には折り曲げ部１４５ａが形成され、位置戻し棒１７は溝部１７５を備え、折り曲げ部１４５ａを収納させるために用いられ、折り曲げ部１４５ａの設置により、ロングアーム１４５と溝部１７５が連動する時さらに円滑になる。これにより、ユーザーが位置戻し棒１７を軸方向Ｄ１に沿って移動させるよう制御する時、連動してカム１４３の回転を制御し、これにより、ユーザーは位置戻し棒１７を押し動かすだけで、カム１４３を前記初めの位置に戻させることができ、係止部材１８と制御部材１４３ａが再度係止するよう戻す目的を達成させる。さらに言えば、位置戻し棒１７が押力を受けて軸方向Ｄ１に沿って移動する時、位置戻し棒１７はロングアーム１４５を押し動かし、カム１４３が第１方向Ｒ１とは反対な第２方向Ｒ２に沿って回転するようにさせ、弾性装置組み立て１４４を押し縮め、弾性装置組み立て１４４が該物体を狭持する前の位置に戻し、係止部材１８は弾性体１８０の補助によって位置を戻し、新たに制限部材１４３ａと係止することによって、２つの狭持板１６は再度開かれた状態へと戻される。ここでは、ベース１２はさらに複数の突起部材１２６を含み、位置戻し棒１７の軸方向Ｄ１上での移動を制限し、もちろん、本技術領域に熟知したものはレールによって突起部材１２６の作用を代替させ、容易に変化させることができ、これは制限とならない。
【００２７】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２８】
１  狭持装置
１２  ベース
１２０  前半ケース体
１２１  後半ケース体
１２２  孔部
１２６  突起部材
１３０  収納空間
１４  作動構造
１４１  第１ピボット
１４２  ギヤ
１４３  カム
１４３ａ  制限部材
１４４  弾性装置組み立て
１４４ａ  第１弾性部材
１４４ｂ  第２弾性部材
１４４ｃ  フレーム
１４４ｄ  ローラー
１４５  ロングアーム
１４５ａ  折り曲げ部
１６  狭持板
１６０  延長アーム
１６０ａ  歯
１６１  狭持ブロック
１６２  クッション
１７  位置戻し棒
１７５  溝部
１８  係止部材
１８０  弾性体
１８１  第２ピボット
１８ａ  第１端部
１８ｂ  第２端部
１９  押し部材
１９０  弾性体
Ｄ１  軸方向
Ｒ１  第１方向
Ｒ２  第２方向
７  周知の狭持ベース
８  連動装置
９  係止部材
【図１】
2013168116.tif 000003
【図２】
2013168116.tif 000004
【図３】
2013168116.tif 000005
【図４】
2013168116.tif 000006
【図５】
2013168116.tif 000007